(57)【要約】【課題】居住空間の温度を一定に保ち、快適性に優れた空気調和機を提供する。【解決手段】室内熱交換器２を内蔵した本体６と、室内の温度を検出する室内吸い込み温度センサ５（以下「センサ５」という）と、室内熱交換器２で熱交換された空気を吹き出す吹き出し口７に設けられ吹き出し風の左右方向の向きを変える左右風向変更羽根４と、室内の温度を設定する遠隔制御装置（図示せず）と、遠隔制御装置で設定された温度から目標温度を決定する目標温度決定手段（図示せず）と、本体６の据付位置を記憶すると共にセンサ５で検出した温度と目標温度の差に応じて室温を調整する制御手段（図示せず）を備え、本体６が壁付近に設置され、かつ、左右風向変更羽根４がその付近の壁の方向に向いた場合、目標温度をあらかじめ決めた補正値で補正するもので、センサ５で検知する検知温度が変わっても、居住空間の温度を一定に保つことができ、快適性の向上が図れる。【選択図】図１
2009204169.tif 000002
【特許請求の範囲】
【請求項１】
室内熱交換器と室内ファンを内蔵した本体と、室内の温度を検出する室温検出手段と、前記室内熱交換器で熱交換された空気を室内に吹き出す吹き出し口と、前記吹き出し口に設けられ吹き出し風の左右方向の向きを変える左右風向変更羽根と、室内の温度を設定するための遠隔制御装置と、前記遠隔制御装置で設定された温度から目標温度を決定する目標温度決定手段と、前記本体の据付位置を記憶すると共に前記室温検出手段で検出された温度と前記目標温度の差に応じて室温を調整する制御手段とを備え、前記本体が壁付近に設置されたと記憶し、かつ、前記左右風向変更羽根がその付近の壁の方向に向いた場合、前記目標温度をあらかじめ決められた補正値で補正することを特徴とする空気調和機。
【請求項２】
室内熱交換器と室内ファンを内蔵した本体と、室内の温度を検出する室温検出手段と、前記室内熱交換器で熱交換された空気を室内に吹き出す吹き出し口と、前記吹き出し口に設けられ吹き出し風の左右方向の向きを変える左右風向変更羽根と、室内の温度を設定するための遠隔制御装置と、前記遠隔制御装置で設定された温度から目標温度を決定する目標温度決定手段と、前記本体の据付位置を記憶すると共に前記室温検出手段で検出された温度と前記目標温度の差に応じて室温を調整する制御手段とを備え、前記本体が壁付近に設置されたと記憶し、かつ、前記左右風向変更羽根がその付近の壁の方向に向いた場合、前記目標温度を、前記左右風向変更羽根の向きの変更前後に、前記室温検出手段で検出された温度の差に応じて決定された補正値で補正することを特徴とする空気調和機。
【請求項３】
左右風向変更羽根の向き変更前後で、室温検出手段にて検出された温度の差に応じて補正値を決定する際に、前回の補正値と今回の補正値の平均値を制御上の補正値とする請求項２に記載の空気調和機。
【請求項４】
左右風向変更羽根を、壁の方に向いた状態から、それ以外の方向に変更した場合、補正値を解除することを特徴とする請求項１〜３のいずれか１項に記載の空気調和機。
【請求項５】
左右風向変更羽根がその付近の壁の方向に向いた場合、一定時間サーモオフをさせないことを特徴とする請求項１〜４のいずれか１項に記載の空気調和機。
【発明の詳細な説明】
【技術分野】
【０００１】
本発明は、空気調和機に関するもので、特に、空気調和機の快適性向上に関するものである。
【背景技術】
【０００２】
従来の空気調和機は、外気温度の負荷や室内ファンの回転数などで、遠隔制御装置により設定された温度を補正して目標温度を決定し、居住空間が、前記遠隔制御装置により設定された温度になるように制御を行っていた。また、近年左右風向変更羽根を遠隔制御装置で制御しかつ、風向を調整するために、空気調和機の室内機の据付位置（右壁際、中央、左壁際など）を記憶できるようになっている（例えば、特許文献１参照）。
【特許文献１】特開２００３−４２５０４号公報
【発明の開示】
【発明が解決しようとする課題】
【０００３】
しかしながら、前記従来の空気調和機の構造では、室内機が壁際に設置され、かつ、左右風向変更羽根が、その付近の壁の方向を向いている場合、壁付近で空気が溜まるため、室温検出手段により検出される温度が、居住空間（部屋中心）の温度と離れてしまい、結果的に、居住空間の温度が、使用者が遠隔制御装置で設定した設定温度と離れてしまい、快適性が悪いといった課題があった。
【０００４】
本発明は、上記従来の課題を解決するもので、居住空間の温度を一定に保つことができ、快適性に優れた空気調和機を提供することを目的とする。
【課題を解決するための手段】
【０００５】
前記従来の課題を解決するために、本発明の空気調和機は、室内熱交換器と室内ファンを内蔵した本体と、室内の温度を検出する室温検出手段と、前記室内熱交換器で熱交換された空気を室内に吹き出す吹き出し口と、前記吹き出し口に設けられ吹き出し風の左右方向の向きを変える左右風向変更羽根と、室内の温度を設定するための遠隔制御装置と、前記遠隔制御装置で設定された温度から目標温度を決定する目標温度決定手段と、前記本体の据付位置を記憶すると共に前記室温検出手段で検出された温度と前記目標温度の差に応じて室温を調整する制御手段とを備え、前記本体が壁付近に設置されたと記憶し、かつ、前記左右風向変更羽根がその付近の壁の方向に向いた場合、前記目標温度をあらかじめ決められた補正値で補正するもので、室内機が壁際に設置され、かつ、左右風向変更羽根が、その付近の壁の方向を向いた場合に、室内機より吹出された風が壁付近に溜まるために、居住空間の温度と、室温検出手段で検出される検知温度に大きな差が出てしまうが、左右風向変更羽根変更時に、予め設定された補正値で目標温度を補正することで、検知温度が変わっても、居住空間の温度を一定に保つことができ、快適性の向上を実現することができる。
【０００６】
また、本発明の空気調和機は、室内熱交換器と室内ファンを内蔵した本体と、室内の温度を検出する室温検出手段と、前記室内熱交換器で熱交換された空気を室内に吹き出す吹き出し口と、前記吹き出し口に設けられ吹き出し風の左右方向の向きを変える左右風向変更羽根と、室内の温度を設定するための遠隔制御装置と、前記遠隔制御装置で設定された温度から目標温度を決定する目標温度決定手段と、前記本体の据付位置を記憶すると共に前記室温検出手段で検出された温度と前記目標温度の差に応じて室温を調整する制御手段とを備え、前記本体が壁付近に設置されたと記憶し、かつ、前記左右風向変更羽根がその
付近の壁の方向に向いた場合、前記目標温度を、前記左右風向変更羽根の向きの変更前後に、前記室温検出手段で検出された温度の差に応じて決定された補正値で補正するもので、予め詳細な検討を行って補正値を設定する必要がなく、しかも空気調和機の能力やファン速や設置位置などの条件によらず、目標温度の補正が可能となり、居住空間と遠隔制御装置による設定温度の差をなくし快適性の向上を実現することができる。
【発明の効果】
【０００７】
本発明の空気調和機は、据付位置や左右風向変更羽根の向きにより、室温検知温度が変化しても、居住空間の温度を一定に保つことができ、快適性の向上が可能となる。
【発明を実施するための最良の形態】
【０００８】
第１の発明は、室内熱交換器と室内ファンを内蔵した本体と、室内の温度を検出する室温検出手段と、前記室内熱交換器で熱交換された空気を室内に吹き出す吹き出し口と、前記吹き出し口に設けられ吹き出し風の左右方向の向きを変える左右風向変更羽根と、室内の温度を設定するための遠隔制御装置と、前記遠隔制御装置で設定された温度から目標温度を決定する目標温度決定手段と、前記本体の据付位置を記憶すると共に前記室温検出手段で検出された温度と前記目標温度の差に応じて室温を調整する制御手段とを備え、前記本体が壁付近に設置されたと記憶し、かつ、前記左右風向変更羽根がその付近の壁の方向に向いた場合、前記目標温度をあらかじめ決められた補正値で補正するもので、室内機が壁際に設置され、かつ、左右風向変更羽根が、その付近の壁の方向を向いた場合に、室内機より吹出された風が壁付近に溜まるために、居住空間の温度と、室温検出手段で検出される検知温度に大きな差が出てしまうが、左右風向変更羽根変更時に、予め設定された補正値で目標温度を補正することで、検知温度が変わっても、居住空間の温度を一定に保つことができ、快適性の向上を実現することができる。
【０００９】
第２の発明は、室内熱交換器と室内ファンを内蔵した本体と、室内の温度を検出する室温検出手段と、前記室内熱交換器で熱交換された空気を室内に吹き出す吹き出し口と、前記吹き出し口に設けられ吹き出し風の左右方向の向きを変える左右風向変更羽根と、室内の温度を設定するための遠隔制御装置と、前記遠隔制御装置で設定された温度から目標温度を決定する目標温度決定手段と、前記本体の据付位置を記憶すると共に前記室温検出手段で検出された温度と前記目標温度の差に応じて室温を調整する制御手段とを備え、前記本体が壁付近に設置されたと記憶し、かつ、前記左右風向変更羽根がその付近の壁の方向に向いた場合、前記目標温度を、前記左右風向変更羽根の向きの変更前後に、前記室温検出手段で検出された温度の差に応じて決定された補正値で補正するもので、予め詳細な検討を行って補正値を設定する必要がなく、しかも空気調和機の能力やファン速や設置位置などの条件によらず、目標温度の補正が可能となり、居住空間と遠隔制御装置による設定温度の差をなくし快適性の向上を実現することができる。
【００１０】
第３の発明は、特に、第２の発明の左右風向変更羽根の向き変更前後で、室温検出手段にて検出された温度の差に応じて補正値を決定する際に、前回の補正値と今回の補正値の平均値を制御上の補正値とするもので、さまざまな条件による補正値を平均化でき、左右風向変更羽根の向き設定後に、遠隔制御装置で運転条件が変更された場合でも、目標温度の補正値が適切な値となり、居住空間と遠隔制御装置による設定温度の差をなくし快適性の向上を実現することができる。
【００１１】
第４の発明は、特に、第１〜３のいずれか一つの発明の左右風向変更羽根を、壁の方に向いた状態から、それ以外の方向に変更した場合、補正値を解除するもので、左右風向変更羽根の向きを変更し、室温検知手段で検知された検知温度と、居住空間の温度差が小さくなったときでも、居住空間の温度を一定に保つことができ、快適性の向上が可能となる。
【００１２】
第５の発明は、特に、第１〜４のいずれか一つの発明の左右風向変更羽根がその付近の壁の方向に向いた場合、一定時間サーモオフをさせないもので、運転中に左右風向変更羽根が壁方向に設定され、室温検知手段で検知される検知温度が大きく変化するとサーモオフ領域に入ることがあるが、実際には居住空間の温度はサーモオフが必要な温度ではないため、サーモオフをさせると快適性が悪化する。そのため、目標温度の補正を行い居住空間の温度が一定となるようにするが、それまでの間はサーモオフさせなくすることで、快適性を向上させることができる。
【００１３】
以下、本発明の実施の形態について、図面を参照しながら説明する。なお、この実施の形態によって本発明が限定されるものではない。
【００１４】
（実施の形態１）
本発明の第１の実施の形態における空気調和機について、図１〜３を用いて説明する。図１は、本発明の第１の実施の形態における空気調和機の室内機の断面図、図２は、同室内機の本体の設置状態を示す図である。
【００１５】
本実施の形態における空気調和機は、室外機（図示せず）と、室外機に接続される後述の室内機１０から構成され、前記室外機は、特に図示しないが、室外熱交換器と、室外ファンと、圧縮機と、絞り機構と、室外気温を検出する室外温度検出手段とを備えている。
【００１６】
室内機１０の本体６は、図１に示すように、室内ファン１と、室内熱交換器２を内蔵すると共に、室内熱交換器２で熱交換された空気が吹き出る吹き出し口７と、吹き出し口７に設けられ、吹き出し風の上下方向の向きを変える上下風向変更羽根３と、同じく吹き出し口７に設けられ、吹き出し風の左右方向の向きを変える左右風向変更羽根４と、室内の空気の温度を検知する室温検出手段としての室内吸い込み温度センサ５とを備えている。
【００１７】
本実施の形態における空気調和機は、さらに、室内の温度や、上下風向変更羽根３、左右風向変更羽根４の向きなどを設定するための遠隔制御装置（図示せず）と、前記遠隔制御装置で設定された温度から目標温度を決定する目標温度決定手段（図示せず）と、前記室温検出手段にて検出された温度と前記目標温度の差に応じて、室外ファン、圧縮機、室内ファン１などを制御して室温を調整すると共に本体６の据付位置を記憶する制御手段（図示せず）を備えている。
【００１８】
室内ファン１が回転することで、室内の空気が吸い込まれ、室内熱交換器２により熱交換され、上下風向変更羽根３と左右風向変更羽根４により、吹出し風の方向を変更している。この際、室内吸い込み温度センサ５により室温を検知し、室内温度の制御を行っている。
【００１９】
図２は、本体６が壁際に据え付けられている状態を示しており、さらに、壁方向に左右風向変更羽根４が向けられ吹出している様子を示している。
【００２０】
以上のように構成された空気調和機において、天井気流が設定された場合の制御方法について、図３を用いて説明する。
【００２１】
図３は、同空気調和機の制御方法を示すフローチャートである。
【００２２】
図３において、運転開始時（ＳＴ１）に、遠隔制御装置で設定された温度に基づき目標温度決定手段で目標温度Ｔを決定する（ＳＴ２）。ここで、ＳＴ３で、本体６の設置位置を確認し、本体６が壁際設置として登録されている場合に、ＳＴ４以下へ進む。次に、Ｓ
Ｔ５で、左右風向変更羽根４が壁方向に向けられた場合は、壁際に吹出した空気が溜まるために、室内吸い込み温度センサ５で検知された室温（以下「室温検知温度」という）と居住空間の実際の温度にずれが生じるので、目標温度の補正を行う。
【００２３】
本実施の形態では、あらかじめ、左右風向変更羽根４を壁方向に向けたときの、室温検知温度の変化から補正値を求めておき、その補正値（Ｔ１）により、目標温度をＴ＝Ｔ＋Ｔ１と補正する。このことにより、左右風向変更羽根４が壁方向に設定され、室温検知温度が変化しても、居住空間の温度を一定に保つことができる。
【００２４】
さらに、ＳＴ６では、左右風向変更羽根４が他の向きに変更された場合には、室温検知温度と居住空間との温度差は小さくなるので、補正値を解除し、目標温度ＴをＴ＝Ｔとする。これにより、居住空間の温度の変動を抑えることが可能となる。
【００２５】
（実施の形態２）
図４は、本発明の第２の実施の形態における空気調和機の制御方法を示すフローチャートである。尚、上記第１の実施の形態における空気調和機と同一部分については、同一符号を付してその説明を省略する。
【００２６】
図４において、運転開始時（ＳＴ８）に、遠隔制御装置で設定された温度に基づき目標温度決定手段で目標温度Ｔを決定する（ＳＴ９）。ここで、ＳＴ１０で、本体６の設置位置を確認し、本体６が壁際設置として登録されている場合に、ＳＴ１１以下へ進む。その後運転中は、室温検知温度をＴｒｏｏｍ１として記憶しておく（ＳＴ１１）。
【００２７】
ＳＴ１２では、左右風向変更羽根４が壁方向に向けられた場合に、ＳＴ１３へ進み、左右風向変更羽根４の向き変更後の室温検知温度をＴｒｏｏｍ２として記憶し、Ｔｒｏｏｍ２とＴｒｏｏｍ１の差を求める。この差が、左右風向変更羽根４を変更したときの室温検知温度の変化量なので、この値を補正値ΔＴとする（ＳＴ１４）。
【００２８】
この補正値で、目標温度を補正しＴ＝Ｔ＋ΔＴとする（ＳＴ１５）。このことにより、補正値を事前に検証する必要がなく、ファン速等の各運転条件に適した目標温度が設定可能となり、快適性の向上が可能となる。さらに、ＳＴ１６で、左右風向変更羽根４が他の向きに変更された場合には、室温検知温度と居住空間との温度差は小さくなるので、補正値を解除し、目標温度をＴ＝Ｔとする（ＳＴ１７）。これにより、居住空間の温度の変動を抑えることが可能となる。
【００２９】
（実施の形態３）
図５は、本発明の第３の実施の形態における空気調和機の制御方法を示すフローチャートである。尚、上記実施の形態における空気調和機と同一部分については、同一符号を付してその説明を省略する。
【００３０】
図５において、運転開始時（ＳＴ１８）に、遠隔制御装置で設定された温度に基づき目標温度決定手段で目標温度Ｔを決定する（ＳＴ１９）。ここで、ＳＴ２０で、本体６の設置位置を確認し、本体６が壁際設置として登録されている場合に、ＳＴ２１以下へ進む。その後運転中は、室温検知温度をＴｒｏｏｍ１として記憶しておく（ＳＴ２１）。
【００３１】
ＳＴ２２では、左右風向変更羽根４が壁方向に向けられた場合にＳＴ２３へ進み、左右風向変更羽根４の向き変更後の室温検知温度をＴｒｏｏｍ２として記憶し、Ｔｒｏｏｍ２とＴｒｏｏｍ１の差よりΔＴ１を決定する（ＳＴ２４）。
【００３２】
ＳＴ２５では、このとき左右風向変更羽根４が壁方向に向けられるのが初めての場合、
ＳＴ２６へ進み、上記ΔＴ１を、制御上の補正値ΔＴ２とする。しかし、風量や設定温度などの条件で補正値は異なってくるので、左右風向変更羽根４が壁方向に向けられるのが２回目以降の場合には、ＳＴ２７へ進み、前回のΔＴ２と今回の温度差ΔＴ１の平均値を改めてΔＴ２とし制御上の補正値とする。
【００３３】
この補正値で、目標温度を補正しＴ＝Ｔ＋ΔＴ２とする（ＳＴ２８）。このことにより、さまざまな条件における補正値を平均化することができ、左右風向変更羽根４が壁方向に向けられた後に、運転条件が変えられてもそれぞれ対応可能となり、快適性の向上が可能となる。さらに、ＳＴ２９で、左右風向変更羽根４が他の向きに変更された場合には、室温検知温度と居住空間との温度差は小さくなるので、補正値を解除し、目標温度をＴ＝Ｔとすること（ＳＴ３０）により、居住空間の温度の変動を抑えることが可能となる。
【００３４】
（実施の形態４）
図６は、本発明の第４の実施の形態における空気調和機の制御方法を示すフローチャートである。尚、上記実施の形態における空気調和機と同一部分については、同一符号を付してその説明を省略する。
【００３５】
図６において、運転中（ＳＴ３１）に、ＳＴ３２で本体６の設置位置を確認し、本体６が壁際設置として登録されている場合に、ＳＴ３３以下へ進む。ＳＴ３３で、左右風向変更羽根４が壁方向に向けられた場合、室温検知温度が急激に変化するために誤ってサーモオフしないように、サーモオフを禁止とする（ＳＴ３４）。そして一定期間経過（ＳＴ３５）し、目標温度の補正が完了すると、サーモオフの禁止を解除する（ＳＴ３６）ことで、天井気流設定直後にサーモオフすることで快適性が悪化することを避けることができる。
【産業上の利用可能性】
【００３６】
以上のように、本発明にかかる空気調和機は、居住空間の快適性向上を可能とするので、室内、室外熱交換器、室内気温センサと室内、室外ファンを備えた機器に応用可能である。
【図面の簡単な説明】
【００３７】
【図１】本発明の実施の形態１における空気調和機の室内機の断面図
【図２】同室内機の本体の設置状態を示す図
【図３】同空気調和機の制御方法を示すフローチャート
【図４】本発明の実施の形態２における空気調和機の制御方法を示すフローチャート
【図５】本発明の実施の形態３における空気調和機の制御方法を示すフローチャート
【図６】本発明の実施の形態４における空気調和機の制御方法を示すフローチャート
【符号の説明】
【００３８】
１  室内ファン
２  室内熱交換器
３  上下風向変更羽根
４  左右風向変更羽根
５  室内吸い込み温度センサ（室温検出手段）
６  本体
７  吹き出し口
Ｔ  目標温度
Ｔ１  設定された補正値
Ｔｒｏｏｍ１  通常運転時の室温検知温度
Ｔｒｏｏｍ２  天井気流設定直後の室温検知温度
ΔＴ  実施の形態２の補正値
ΔＴ１  実施の形態３の室温検知温度差
ΔＴ２  実施の形態３の補正値
【図１】
2009204169.tif 000003
【図２】
2009204169.tif 000004
【図３】
2009204169.tif 000005
【図４】
2009204169.tif 000006
【図５】
2009204169.tif 000007
【図６】
2009204169.tif 000008